(57)【要約】【課題】ワンタッチ操作でテンプルの長さを伸縮させることができる多焦点用眼鏡枠を提供する。【解決手段】長さを伸縮調節可能なテンプル部分を有する、多焦点用眼鏡枠について、テンプル１４の方向に沿って摺動可能に組み合わされた、挿入部１６と受け部１７とから成る伸縮部１５をフロント部左右のよろい部又はテンプルの前部に設ける。上記伸縮部の挿入部側と受け部側を、折り曲げ曲げ伸ばし可能なリンク部２０を構成する一対のリンクアーム２１、２２により結合し、上記伸縮部１５とリンク部２０のそれぞれに、伸縮部を伸張状態及び収縮状態に規定する規定手段を具備する。【選択図】          図４
2008286884.tif 000002
【特許請求の範囲】
【請求項１】
長さを伸縮調節可能なテンプル部分を有する、多焦点用眼鏡枠であって、
テンプルの方向に沿って摺動可能に組み合わされた、挿入部と受け部とから成る伸縮部をフロント部左右のよろい部又はテンプルの前部に設け、折り曲げ曲げ伸ばし可能なリンク部を構成する一対のリンクアームにより、上記伸縮部の挿入部側と受け部側を結合し、上記伸縮部とリンク部のそれぞれに、伸縮部を伸張状態及び収縮状態に規定する規定手段を具備したことを特徴とする多焦点用眼鏡枠。
【請求項２】
伸縮部は、よろい部を前後に２分してその部分に設け、かつ、雌雄嵌合構造を有するものとし、上記雌雄嵌合構造の雄部材をその一方の部分に設け、雌部材を他方の部分に設けて構成されている請求項１記載の多焦点用眼鏡枠。
【請求項３】
リンク部は、一対のリンクアームをほぼＶ字型に組み合わせたもので、いずれか一方のリンクアームの外側面に、折り曲げ曲げ伸ばしの操作を行なう操作部を設けて構成されている請求項１記載の多焦点用眼鏡枠。
【請求項４】
伸縮部を、伸張状態に規定する規定手段として、リンクアームに設けた係合部と、伸張状態において上記係合部と係合するようにテンプルの前部又はテンプルとフロント部の間のよろい部に設けた係合相手部を有している請求項１記載の多焦点用眼鏡枠。
【請求項５】
伸縮部を、収縮状態に規定する規定手段の一部として、挿入部側と受け部側を引っ張りばねにより連結し、収縮位置に付勢した構成を有している請求項１記載の多焦点用眼鏡枠。
【発明の詳細な説明】
【技術分野】
【０００１】
本発明は、長さを伸縮調節可能なテンプル部分を有する多焦点用眼鏡枠に関するものである。
【背景技術】
【０００２】
遠近両用メガネは、１枚のレンズで焦点が２以上ある多焦点レンズを用いたメガネを称するものであり、遠近両用レンズは、レンズの上部が遠用度数、下部が近用度数になっている。このため、遠近両用メガネの使用者は、遠方視すなわち遠くを見るときは上目遣い気味とし、近点視すなわち近くを見るときには伏し目気味とする必要があるので、視線移動の幅が大きく、使用には慣れが必要であると同時に長時間使用の場合、下方視の状態を維持しなければならないため、疲労を伴う。
【０００３】
そこで、本発明者は多焦点レンズを用いて作成したメガネを好適に使用するために、遠くを見るときには、レンズの遠用度数箇所が目の位置に配置され、近くを見るときには、レンズの近用度数箇所が移動し、目の位置に配置されることにより、視線移動を著しく小さくしたメガネを開発してきた。例えば、特開２０００−１４７４３７号は、テンプルに対して、レンズを有するフロント部を上下に回転させるように動かしてほぼ垂直にしたり前方へ傾けたりすることにより、角度変更と同時に、テンプル長さの変更が可能で、レンズ部が遠方視においても近点視においても適正な位置を取るような機構を備えている。しかしこの発明の場合、構造が複雑なため部品点数が多くなり、かつ、精密加工も必要であり、生産性やコストの面で問題無しとしない。
【０００４】
他方、特開２００３−３０７７１３号では、メガネフレーム左右の部材の駒部品と呼ぶ部品に２以上の枢支孔を列設し、止着部材をヒンジ連結する位置を選択的に変更することができる発明を開示しており、テンプルの長さを調節することができる。しかし、同号の発明の構成では、テンプル長さを調節するために、止着部材を着脱する必要があり、遠近両用メガネに適用するには無理がある。また、特開２００７−４７２８３号の発明では、メガネフレーム左右のよろい部に長手方向のスライド穴を穿設し、それに対して移動可能に配設したスライダ部材を固定ネジにより緊締し、テンプルの長さを伸縮可能にした構成を有しているが、この場合も固定ネジを使用するため、例えばワンタッチで調節することは不可能であり、遠近両用メガネには不向きである。
【０００５】
【特許文献１】特開２０００−１４７４３７号
【特許文献２】特開２００３−３０７７１３号
【特許文献３】特開２００７−４７２８３号
【発明の開示】
【発明が解決しようとする課題】
【０００６】
本発明は前記の点に着目してなされたものであり、その課題は、ワンタッチ操作でテンプルの長さを伸縮させることができる多焦点用眼鏡枠を提供することである。また、本発明の他の課題は、構造が比較的簡単で生産性の良好な多焦点用眼鏡枠を提供することである。
【課題を解決するための手段】
【０００７】
前記の課題を解決するために、本発明では、長さを伸縮調節可能なテンプル部分を有する、多焦点用眼鏡枠について、テンプルの方向に沿って摺動可能に組み合わされた、挿入部と受け部とから成る伸縮部をフロント部左右のよろい部又はテンプルの前部に設け、折り曲げ曲げ伸ばし可能なリンク部を構成する一対のリンクアームにより、上記伸縮部の挿入部側と受け部側を結合し、上記伸縮部とリンク部のそれぞれに、伸縮部を伸張状態及び収縮状態に規定する規定手段を具備するという手段を講じたものである（請求項１記載の発明）。
【０００８】
本発明に係る多焦点用眼鏡枠は、前述のような多焦点レンズを使用する、遠近両用メガネに適用するものであり、遠方視においては伸張状態とし、近点視においては収縮状態とするために、長さを伸縮調節可能なテンプル部分を有している。本発明は、レンズを取り付けるフロント部とテンプルとを連絡する通称よろい部から、テンプルの前部にかけての範囲をテンプル部分として、この部分に長さ調節可能な機構を設けるものとする。上記テンプル部分の長さを伸縮調節可能とすることにより、フロント部とテンプル後端の耳掛け部との間の距離が調節され、遠方視と近点視に対応することができる。なお、伸縮部をテンプルの前方に設けることは、操作性の向上につながることでもある。
【０００９】
テンプル部分の長さを伸縮調節可能にするために、本発明では、まず、テンプルの方向に沿って摺動可能に組み合わされた、挿入部と受け部とから成る伸縮部を、上記のテンプル部分に設ける。挿入部と受け部は、その一方を他方へ挿入し、他方は一方を受け入れる関係にあり、かつ、双方が相対的に摺動して伸縮する機械的構造を有するものとする。伸縮部を、上記テンプル部分のよろい部を前後に２分してその部分に設け、かつ、雌雄嵌合構造を有するものとし、上記雌雄嵌合構造の雄部材を２分した一方の部分に設け、雌部材を他方の部分に設けることは望ましい構成である（請求項２記載の発明）。
【００１０】
折り曲げ曲げ伸ばし可能なリンク部を構成する一対のリンクアームにより、上記伸縮部の挿入部側と受け部側を結合する。リンク部は、摺動により伸縮可能な関係にある挿入部側と受け部側とを結合するので、伸張の限界を規定し、かつ、伸縮部の外れてしまうことを防止することができる。リンク部は、一対のリンクアームをほぼＶ字型に組み合わせた構造を取り、いずれか一方のリンクアームの外側面に、折り曲げ曲げ伸ばしの操作を行なう操作部を設けて構成することができる（請求項３記載の発明）。故にリンクアームは、例えばＶ字状又は逆Ｖ字状に折れ曲がり、伸ばすと直線状となって、両端部間の長さが長短変化する構成を取ることができる。
【００１１】
上記伸縮部とリンク部のそれぞれに、伸縮部を伸張状態及び収縮状態に規定する規定手段を具備し、これによって長さの伸縮調節位置が保持されるようにする。伸縮部を、伸張状態に規定する規定手段としては、リンクアームに設けた係合部と、伸張状態において上記係合部と係合するようにテンプルの前部又はテンプルとフロント部の間のよろい部に設けた係合相手部を有しているものであることが望ましい（請求項４記載の発明）。さらにクリックストップのような停止手段を併用することも、好ましい態様である。上記係合部と係合相手部との係合により、伸縮部を伸張状態に保ち、遠方視に適した状態を得るものである。
【００１２】
上記伸縮部を、収縮状態に規定する規定手段の一部として、挿入部側と受け部側を引っ張りばねにより連結し、収縮位置に付勢した構成とすることができる（請求項５記載の発明）。引っ張りばねの付勢力により、テンプルの方向に沿って摺動可能に組み合わされた、挿入部と受け部とから成る伸縮部を、双方が相対的に摺動した収縮状態に保ち、近点視に適した状態を得るものである。上記引っ張りばねに替えて圧縮ばねを用いる設計変更は容易である。また、後述する例示では説明の便宜上外部にばねを配置しているが、どの種類のばねを用いるにせよ、ばねは、よろい部やテンプルの内部に設けることができる。
【００１３】
本発明では、リンクアームを折り曲げ又は曲げ伸ばす操作をすることによって、伸縮部を収縮状態又は伸張状態にすることができ、上記の切り替え操作はワンタッチで可能である。また、必要があれば、収縮状態から伸張状態に至る任意の伸縮状態を選択できるようにすることも可能である。上記リンクアームは、例えばＶ字状又は逆Ｖ字状に収縮し、伸張時には直線状になるので、メガネが遠方視の状態か近点視に状態かを、指先で触れて、或いはメガネの外観によって、把握することも可能である・
【発明の効果】
【００１４】
本発明は以上のように構成されかつ作用するものであるから、ワンタッチ操作でリンク部を切り替え、収縮状態又は伸張状態にテンプルの長さを伸縮調節することができる多焦点用眼鏡枠を提供することができる。また、本発明によれば、摺動構造の伸縮部と、折り曲げ曲げ伸ばし構造のリンク部という、比較的簡単な構成により所期の目的を達することができるので、生産性の良好な多焦点用眼鏡枠を提供することができる。
【発明を実施するための最良の形態】
【００１５】
以下図示の実施形態を参照し、本発明に係る多焦点用眼鏡枠を図示の例について、より詳細に説明する。図１は、本発明に係る多焦点用眼鏡枠１０を適用した遠近両用メガネによる遠方視と近点視を説明する図であり、例示されている多焦点用眼鏡枠１０は、多焦点レンズ１１を取り付けたフロント部１２と、その左右両端部に設けたよろい部１３と、よろい部１３に取り付けられたテンプル１４とを有している。
【００１６】
本発明では、上記のメガネにおいてテンプル１４の方向に沿って摺動可能に組み合わされた、挿入部１６と受け部１７とから成る伸縮部１５を、フロント部１２とテンプル１４の間のよろい部１３に設ける。例示されている伸縮部１５は、よろい部１３を前後に２分してその部分に設けた、雌雄嵌合構造をから成るもので、２分したものの一方の部分１３ａに、雌雄嵌合構造の雄部材として、角軸状の挿入部１６を設け、他方の部分１３ｂに、雌部材として角筒状の受け部１７を設けている。上記挿入部１６と受け部１７は、差し込むことにより双方が相対的に摺動して伸縮する（図３、図５参照）。
【００１７】
前後に２分されたよろい部１３の２部分１３ａ、１３ｂは、２部分１３ａ、１３ｂが接触することにより、収縮状態の限界に達する。これに対して、伸張状態の限界は後述するリンク部２０によって管理される。２部分１３ａ、１３ｂは、接触によりそれ以上収縮できないようにするとともに、収縮状態でのがたつきを増さないように形成される。
【００１８】
上記伸縮部１５を、収縮状態に規定する規定手段の一部として、挿入部側と受け部側を収縮位置方向に付勢する引っ張りばね１８により連結している。引っ張りばね１８はその一端１９ａを、２分したよろい部１３の前方部分１３ａに固定し、他端１９ｂをよろい部１３の後方部分１３ｂに固定して取り付けられ、その付勢力により、伸縮部１５を収縮状態に保ち、近点視に適した状態を得る作用をする。図示の例では、引っ張りばね１８を露出して示しているが、よろい部１３の内部を空洞構造として、その内部にばねを組み込むことも可能であり、また望ましいことである。
【００１９】
前述のリンク部２０は、折り曲げ曲げ伸ばし可能なリンクを構成する一対のリンクアーム２１、２２より成り、中間のリンク軸２３ａによりリンクアーム同士を結合し、両端の結合軸２３ｂ、２３ｃにより、上記伸縮部の挿入部側（１６）と受け部側（１７）を結合しているもので、伸張の限界を規定し、かつ、伸縮部の外れてしまうことを防止する。例示のリンク部２０は、一対のリンクアーム２１、２２をほぼ逆Ｖ字型に組み合わせた構造であり、前方のリンクアーム２１の外側面に、折り曲げ曲げ伸ばしの操作を行なう操作部として、指先で摘み得る突条部分２４を設けている。
【００２０】
上記伸縮部１５を伸張状態に規定する規定手段として、図示の例のものは、リンクアーム２１に設けた係合部２５と、伸張状態において上記係合部２５と係合するようによろい部１３の後方部分１３ｂに設けた係合相手部２６を有しており、Ｖ字状に反転するのを防止している。例示された係合部２５は凹部であり、係合相手部２６は凹部に嵌まる突起である。さらに、ばね２７により付勢された係合体２８とその係合穴２９から成る停止手段のクリックストップ３０を設け、収縮時に逆Ｖ字状を取るリンク角が開いて、ほぼ直線状になると、係合部２５と係合相手部２６とが係合し、伸縮部１５の伸張状態を保つように構成されている。
【００２１】
図中、３１はヒンジ軸であり、よろい部１３の後端部１３ｃと、テンプル１４の前端部１４ｃを開閉可能に結合している。なお、テンプル１４の長さを論ずる場合、図１に示すように、フロント部１２に設けられている鼻当て３２と耳にかかるテンプル１４の支持点３３との距離が実質的には比較の対象となるが、説明の便宜上、図７に示すように、テンプル１４の途中のある一点の位置を見ることにする。
【００２２】
図７の上段は、リンク部２０が伸張状態にあり、これは、図７の下段の収縮状態において、逆Ｖ字状のリンク部２０の突状部分２４を、矢印３４のように上から下へ押す操作によって得られることを示している。よって、図７上段の、リンク部２０が伸張しテンプル１４が伸張した状態では、リンクアーム２１に設けた係合部２５と係合相手部２６が係合し、かつ、クリックストップ３０が働いて、遠近両用メガネを遠方視に適した状態に保持している。このようなテンプル１４の伸張状態では、テンプル１４の伸びた分だけ、鼻当て３２の鼻への当接面が鼻の傾斜に沿って下方へ移行するために、遠方視に適した位置３６に調整されるものである（図１参照）。
【００２３】
図７の下段は、リンク部２０が収縮状態にあり、これは、図７の上段の伸張状態において、一直線上のリンク部２０の突状部分２４を、矢印３５のように下から上へ押す操作によって得られる。よって、図７下段の、リンク部２０が収縮しテンプル１４が縮んだ状態では、リンクアーム２１に設けたクリックストップ３０が外れ、係合部２５と係合相手部２６が係合から離れ、遠近両用メガネは近点視に適した状態になっている。テンプル１４の収縮状態では、テンプル１４の縮んだ分だけ、鼻当て３２の鼻への当接面が鼻の傾斜に沿って上方に移行するために、近点視に適した位置３７に調整されるものである（図１参照）。
【００２４】
このようにして、本発明に係る多焦点眼鏡枠によれば、リンク部２０における操作によって、伸縮部１５を図７に示すように所定長さｄだけ伸縮させ、遠方視に適した位置３６と近点視に適した位置３７を選択することができる。リンク部２０の突状部分２４を上げ下げするのは、何れもワンタッチ操作であり、指先で瞬時に行なえるので、煩わしさがなく使い易いものとなる。
【図面の簡単な説明】
【００２５】
【図１】本発明に係る多焦点眼鏡枠の一例を示す側面図。
【図２】同上の多焦点眼鏡枠の調整状態を示すもので、Ａは遠方視の、Ｂは近点視の側面図。
【図３】同じく多焦点眼鏡枠の要部を拡大して示すもので、Ａは遠方視の、Ｂは近点視の側面図。
【図４】同じく要部を拡大して示すもので、Ａは遠方視の、Ｂは近点視の外側から見た斜視図。
【図５】同じく要部を拡大して示すもので、Ａは遠方視の、Ｂは近点視の内側から見た斜視図。
【図６】本発明におけるクリックストップ部分を拡大して示すもので、Ａは係合時の、Ｂは離脱時の断面図。
【図７】本発明に係る多焦点眼鏡枠の使用の際の調整方法を示す側面図。
【符号の説明】
【００２６】
１０  多焦点眼鏡枠
１１  多焦点レンズ
１２  フロント部
１３  よろい部
１４  テンプル
１５  伸縮部
１６  挿入部
１７  受け部
１８  引っ張りばね
２０  リンク部
２１、２２  リンクアーム
２３ａ  中央のリンク軸
２３ｂ、２３ｃ  結合軸
２４  凸状部分
２５  係合部
２６  係合相手部
２７  ばね
２８  係合体
２９  係合穴
３０  クリックストップ
３１  ヒンジ軸
３２  鼻当て
３３  支持点
３４  伸張操作方向の矢印
３５  収縮操作方向の矢印
３６  遠方視の位置
３７  近点視の位置
【図１】
2008286884.tif 000003
【図２】
2008286884.tif 000004
【図３】
2008286884.tif 000005
【図４】
2008286884.tif 000006
【図５】
2008286884.tif 000007
【図６】
2008286884.tif 000008
【図７】
2008286884.tif 000009